(57)【要約】      （修正有）【課題】照明、識別、装飾、指示の効果を達成し、かつ現行の蛍光灯に取って代ることができるLEDランプの構造を提供する。【解決手段】  中空管体１内に１個或いは１個以上の回路板２を設置し、該回路板上に複数の列を成すLED２１を設置する。該回路板上には、中空管体から露出する電源コード２２とその末端が連接する電源ジョイント２３を延伸している。該中空管体の両側には、定位部を備えたコネクター１１を配置し、使用時には、中空管体両側に配置するコネクターの定位部を現行のランプ台３のジョイント孔位置３１内に挿入接続し定位するだけで、現行のランプ台に使用することができる。【選択図】図３
0003119578.tif 000002
【実用新案登録請求の範囲】
【請求項１】
中空管体内に１個或いは１個以上の回路板を設置し、該回路板上に複数の列をなしたLEDを設置し、前記中空管体の両側に定位部を備えたコネクターを配置し、かつ該定位部は符合する現行のランプ台のジョイント孔位置内に挿入接続され定位可能としたことを特徴とするLEDランプの構造。
【請求項２】
前記回路板上に電源コードとその末端に接続する電源ジョイントを延伸設置し、かつ該電源コードと該電源ジョイントとは、上記中空管体から露出し外部電源と電気的に接続することを特徴とする請求項１記載のLEDランプの構造。
【請求項３】
上記中空管体両側のコネクターは、さらに多数組の長さ、口径規格が異なる定位部を設置可能としたことを特徴とする請求項１記載のLEDランプの構造。
【考案の詳細な説明】
【技術分野】
【０００１】
本考案は、蛍光灯に代えて使用可能なLEDランプの構造に係り、LEDを備えたランプ構造を既存のランプ台上に直接挿入接続可能で、LEDを光源とするLEDランプの構造に関する。
【背景技術】
【０００２】
ランプの発明は、人類の生活方式を徹底的に変えた。このランプがなければ、夜間や天候が良くない時には、我々の生活はその活動を停止ししてしまうし、また照明がなければ、建物の建築方式或いは生活方式は全く違ったものになり、このため人類は現在ほどの進歩を達成できなかったであろう。
【０００３】
現在一般に使用されている蛍光灯、ハロゲンライト、或いは広く市場で支持されている節電ライトなどの照明設備のランプの多くは、光の減衰が早く、消費電力が高く、しかも高熱を発し易く、寿命が短く、割れ易く、回収が困難などの欠点が存する。
【０００４】
さらに、従来の蛍光灯は、色彩演出性が低く、蒼白の灯光は人気がない。また、その発光原理は、ランプ二極電子が１秒に120回という高速で流動するものであるため、つけたばかり或いは電流が安定しない時には点滅し易く、近視率が高くなる元凶とされることもある。しかしながら、この問題は「高周波電子式安定器」を備えるランプに替えることで解決することができる。
【０００５】
前記高周波電子安定器は、公知の蛍光灯の電力消費を20%下げることができ、また、高周波で瞬間的にライトをつける時に発する光の波長は非常に安定しており、ほとんど点滅しない。しかも、電圧が変動或いはランプが低温である時にも点滅しにくいため、視力の保護に役立つ。
【０００６】
しかし、一般の節電ランプと節電灯の安定器は固定式であるため、新しいものに変えようと、該安定器をも廃棄しなければならない。しかも、蛍光灯は節電効果を備えるが、水銀を塗布して作られるため、廃棄後は環境に対する汚染を引起す恐れがある。
【考案の開示】
【考案が解決しようとする課題】
【０００７】
従来のランプの多くは、光の減衰が早く、消費電力が高く、高熱を発し易く、寿命が短く、割れ易く、回収が困難などの欠点を持っている。中でも、従来の蛍光灯は、色彩演出性が低く、蒼白の灯光は人気がなく、つけたばかり或いは電流が安定しない時には点滅し易いという欠点も有する。これを解決するために装備する高周波電子式安定器は、蛍光灯の電力消費を20%下げることができるという長所を有するが、一般の節電ランプと節電灯の安定器は固定式であるため、新しいものに変えようと、該安定器をも廃棄しなければならない。しかも、蛍光灯は水銀を塗布して作られるため、廃棄後は環境に対する汚染を引起す恐れがある。
【０００８】
本考案はこれらの事情に鑑みてなされたもので、上記問題点を解決したLEDのランプ構造を提供するものである。
【課題を解決するための手段】
【０００９】
前記目的を達成するため本考案の一態様によるＬＥＤランプの構造は、中空管体内に１個或いは１個以上の回路板を設置し、該回路板上に複数の列をなしたLEDを設置し、前記中空管体の両側に定位部を備えたコネクターを配置し、かつ該定位部は符合する現行のランプ台のジョイント孔位置内に挿入接続され定位される。
【００１０】
この構成で、使用特性に応じてLEDが適用する作業電圧、電流を設計し、現行の蛍光灯に取って代ることができ、現行の蛍光灯台、スタンド台、ディスプレーカウンターランプ台、自動車用ランプ台、或いは広告用看板上などに適用することができ、照射、識別、装飾、指示の効果を達成することが可能である。
【考案の効果】
【００１１】
上記のように、本考案は、中空管体内に列を成したLEDを具える回路板を設置し、該中空管体両側にはコネクターを嵌設し、該コネクターの定位部は現行のランプ台のジョイント孔位置内に直接挿入接続することができ、LEDの特性を通して、ランプを暖める時間が不要で、反応速度が速く、コンパクトで、消費電力と環境汚染が少なく、輝度が高く、寿命も長いという特性を達成可能である。このようにして、現行の蛍光灯に大規模に取って代ることができる。さらに、現行のランプ台上に適用し、蛍光灯台、スタンド台、ディスプレーカウンターランプ台、ウォールランプ、投射灯、自動車用ランプ台、或いは広告用看板上などに適用することができ、照射、識別、装飾、指示の効果を達成する。
【００１２】
また、本考案は、電流不安定による点滅の問題を考慮する必要がなくなり、使用時には目に優しく、損壊しても中空管体内に設置する回路板を交換するだけで良く、環境にも優しいと言う特性を備えながら、蛍光灯が必要とする高周波電子安定器の問題をも解決することができる。
【考案を実施するための最良の形態】
【００１３】
以下、図面を参照して本考案の実施例を説明する。
【実施例】
【００１４】
図３に示すように、本考案の実施例のランプは、中空管体１を有する。該中空管体１は、透明、半透明、局部透明、或いは各種色彩の材質により構成される。この中空管体１内には、１個或いは１個以上の回路板２を設置している。該回路板２上には、複数のLED２１を配列し、該回路板２上には電源コード２２とその末端に接続する電源ジョイント２３を延長設置し、これにより該電源ジョイント２３と外部電源が接続可能になっている。そして、外部電源と交流、直流変圧器とを接続して、前記LED２１の発光時に必要となる電力を供給するようになっている。
【００１５】
前記中空管体１両側には、コネクター１１を配置し、該コネクター１１外側は、一般のランプ台３のジョイント孔位置３１に符合する定位部１１１を外部へと延伸している。
【００１６】
上記部品の組立てるには、先ず前記回路板２を前記中空管体１内に設置し、該回路板２の電源コード２２を前記中空管体１外へと貫通させる。こうして前記電源ジョイント２３と外部電源とが電気的に接続し、最後に前記コネクター１１を前記中空管体１の両側に配置し、安定的に定位する。
【００１７】
使用時には、前記中空管体１を一般のランプ台３上に定位し、前記中空管体１の両側に配置するコネクター１１の定位部１１１を該一般のランプ台３のジョイント孔位置３１内に挿入接続して定位させる。こうして、前記回路板２の電源ジョイント２３と外部電源とが接続される。前記外部電源は、使用特性に応じて前記回路板２に適用する作業電圧、電流に設計することができる。
【００１８】
これにより、現行の蛍光灯に大規模に取って代ることが可能となり、一般、すなわち現行のランプ台３を利用し、本実施例のLEDのランプ構造を実現することができる。こうして蛍光灯台、スタンド台、ディスプレーカウンターランプ台、自動車用ランプ台などに適用することができる。
【００１９】
さらに、前記中空管体１を現行のランプ台３上に定位する時には、該中空管体１の両側のコネクター１１が定位状態であるため、使用者は前記中空管体１を360度回転させ(図２参照)、LED２１の最良の照射角度を調整することができる。
【００２０】
本実施例のLED２１が損壊した時には、前記中空管体１を現行のランプ台３より取外し、前記中空管体１の両側に配置するコネクター１１を開き、内部の損壊した回路板２を交換するだけで良い。前記回路板２は、回収し再利用が可能で、管体も重複使用することができ、さらに回路板の交換を容易にするという目的を達成することができる。また、ランプ構造全体を交換する必要もないため、環境にやさしい。
【００２１】
次に図４、５に示すように、前記回路板２は、片側に複数のLED２１を設置する形態に限定されるものではなく、前記回路板２の両側に同時に複数のLED２１を設置することができる（図４参照）。
【００２２】
この他、前記中空管体１内には、１個或いは１個以上の回路板２を設置することができ、該回路板２は３枚、４枚、或いは複数枚の回路板により取囲み、多方向に光を照射することができる(図５参照)。これにより、照明光の照射範囲は広くなる。
【００２３】
図６に示すように、本考案のさらに別種の実施例では、前記中空管体１も両側のコネクター１１は、多数組の長さ、口径規格が異なる定位部１１１を設置することができる。これにより、現行のランプ台３の規格が大きいジョイント孔位置３１に使用する時にも、他の規格が小さい定位部１１１をカバーすることができ、規格が大きい定位部１１１は対応するジョイント孔位置３１に符合させることができる。反対に、もし口径がより小さいジョイント孔位置３１に使用する時には、他の規格が大きい定位部１１１をカバーし、規格が小さい定位部１１１は対応するジョイント孔位置３１に適用することができる。こうして、この構造により、1組のコネクター１１であらゆる規格の現行のランプ台３のジョイント孔位置３１に適用可能で、モジュールを構成する効果を達成することができる。
【図面の簡単な説明】
【００２４】
【図１】本考案の実施例を示す立体外観図である。
【図２】本考案の実施例の使用状態を示す説明図である。
【図３】本考案の実施例の立体分解図である。
【図４】本考案別種の最適実施例の立体外観図である。
【図５】本考案の他の実施例を示す立体外観図である。
【図６】本考案のさらに他の実施例を示す立体分解図である。
【符号の説明】
【００２５】
１  中空管体
１１  コネクター
１１１  定位部
２  回路板
２１  LED
２２  電源コード
２３  電源ジョイント
３  公知のランプ台
３１  ジョイント孔位置
【図１】
0003119578.tif 000003
【図２】
0003119578.tif 000004
【図３】
0003119578.tif 000005
【図４】
0003119578.tif 000006
【図５】
0003119578.tif 000007
【図６】
0003119578.tif 000008